(57)【特許請求の範囲】
【請求項１】
記憶装置とプロセッサとを備えた施設入所調整装置であって、
前記プロセッサは、
前記記憶装置に記憶され、保育所への入所を希望する対象者の入所希望情報が書き込まれた対象者リストから、第１の対象者の入所希望情報を読み取る第１のステップと、
前記入所希望情報に、兄弟姉妹同時入所希望が含まれている場合、前記対象者リストから、前記対象者の兄弟姉妹である１人または複数人である第２の対象者の入所希望情報を取得し、前記第１の対象者と前記第２の対象者とがすべて関連付けられた兄弟姉妹リストを作成し、前記兄弟姉妹リストを、前記記憶装置に記憶させる、第２のステップと、
前記兄弟姉妹同時入所希望において、兄弟姉妹が別々の保育所へ入所することが許容されている場合、保育所の受入定員がゼロではないのであれば、前記兄弟姉妹リストにおいて関連付けられた前記対象者の何れか１人の、前記保育所への入所を仮確定する第３のステップと、
前記兄弟姉妹リストにおいて関連付けられた前記対象者のすべてに対する前記仮確定が終わった訳ではない場合、前記第３のステップに進む、第４のステップと、
前記兄弟姉妹リストにおいて関連付けられた前記対象者のすべてに対して、前記入所の仮確定がなされた場合、前記兄弟姉妹を、対応する保育所に関連付けた入所決定リストを作成し、前記入所決定リストを、前記記憶装置に記憶させ、前記兄弟姉妹リストにおいて関連付けられた前記対象者の何れかに対して、前記入所の仮確定がなされなかった場合、前記兄弟姉妹を全員、入所を待機させるものとし、前記兄弟姉妹を、保育所に関連付けることなく、前記入所決定リストに書き込み、前記兄弟姉妹を前記対象者リストから削除する第５のステップと、
前記第２のステップの後、前記兄弟姉妹同時入所希望において、兄弟姉妹が別々の保育所へ入所することが許容されている場合、前記保育所の受入定員がゼロであれば、別の保育所を対象として、前記第３のステップを実行する、第６のステップと、
前記第２のステップの後、前記兄弟姉妹同時入所希望において、兄弟姉妹同時期に前記保育所への入所が希望されている場合、前記第１の対象者の前記保育所への入所を優先的に確定し、前記第２の対象者を前記保育所に入所できるまで待機させてもよいと希望されている場合、前記第１の対象者の前記保育所への入所を優先的に確定し、前記第２の対象者を別の保育所に入所させてもよいと希望されている場合、前記第２の対象者の前記保育所への入所を優先的に確定し、前記第１の対象者を前記保育所に入所できるまで待機させてもよいと希望されている場合、および、前記第２の対象者の前記保育所への入所を優先的に確定し、前記第１の対象者を別の保育所に入所させてもよいと希望されている場合、前記対象者リストから、前記第１の対象者の第１希望の保育所と同一の保育所を希望し、前記第２の対象者よりも優先順位が高い第３の対象者および前記第３の対象者の１人または複数人の兄弟姉妹である第４の対象者を抽出し、前記抽出した対象者が書き込まれた関連対象者リストを作成し、前記関連対象者リストを、前記記憶装置に記憶させる、第７のステップと、
前記兄弟姉妹リストに書き込まれている１人の前記第１の対象者または前記第２の対象者を対象とし、前記第１の対象者または前記第２の対象者とクラス年齢が等しく、前記第１の対象者または前記第２の対象者の第１希望の保育所が、前記第３の対象者または前記第４の対象者の希望保育所のうち何れかにある対象者を、前記関連対象者リストから取得する第８のステップと、
前記第１希望の保育所の受入定員がゼロである場合、第２希望の保育所を前記第１希望の保育所として、前記第８のステップに進む、第９のステップと、
前記第１希望の保育所の受入定員がゼロではない場合、前記第８のステップで対象とされた前記第３の対象者または前記第４の対象者との合計が、前記第１希望の保育所の受入定員以内であるか否かを判定する第１０のステップと、
前記第１０のステップにおいて、受入定員以内である場合、前記第８のステップで対象とした、前記第１の対象者または前記第２の対象者を、前記第１希望の保育所への入所を仮確定する第１１のステップと、
前記第１１のステップの後、前記第１の対象者と前記１人または複数の第２の対象者のすべてに対する入所の仮判定が完了した場合、前記第１の対象者と前記１人または複数の第２の対象者とのすべてが入所仮確定されているか否かを判定し、前記第１の対象者と前記１人または複数の第２の対象者のすべてに対する入所の仮判定が完了していない場合、前記第８のステップに進む、第１２のステップと、
前記第１２のステップにおいて、前記第１の対象者と前記１人または複数の第２の対象者とのすべてが入所仮確定と判定されている場合、前記第１の対象者と前記１人または複数の第２の対象者とのすべての入所を確定する第１３のステップとを実行する、施設入所調整装置。
【請求項２】
前記プロセッサはさらに、
前記第１３のステップにおいて、入所が確定された保育所の受入定員を、前記第１３のステップにおいて前記入所が確定された対象者の数だけ−１とする第１４のステップと、
前記第１３のステップにおいて、前記入所が確定された対象者の中に、転園者がいる場合、転園前の保育所の受入定員を＋１とする第１５のステップと、
前記対象者リストから、入所が確定された前記第１の対象者および前記１人または複数の第２の対象者を削除する第１６のステップとを実行する、請求項１に記載の施設入所調整装置。
【請求項３】
前記プロセッサはさらに、
前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されているのであれば、この保育所を第１希望の保育所として、前記第９のステップに進む、第１７のステップと、
前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されていないのであれば、前記第１の対象者と前記１人または複数の第２の対象者とのすべてによる同時入所の希望の内容に応じて以降の処理を決定する、第１８のステップと、
前記第１８のステップにおいて、前記同時入所の希望として、前記第１の対象者と前記１人または複数の第２の対象者とのすべてが同時期に同じ保育所に入所することを希望しているのであれば、前記第１の対象者と前記１人または複数の第２の対象者とのすべてを待機させ、前記第１６のステップに進む、第１９のステップと、
前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所があるのであれば、前記第１の対象者のこの保育所への入所を確定する第２０のステップとを実行する、請求項２に記載の施設入所調整装置。
【請求項４】
前記プロセッサはさらに、
前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所がないのであれば、前記第１の対象者および前記１人または複数の第２の対象者のすべてを待機させ、前記第１６のステップに進む、第２１のステップを実行する、請求項３に記載の施設入所調整装置。
【請求項５】
前記プロセッサはさらに、
前記第２０のステップの後、前記１人または複数の第２の対象者は、前記第１の対象者と同一の保育所への入所を希望するのであれば、待機し、別の保育所への入所を希望するのであれば、別の保育所への入所を決定し、前記第１６のステップに進む、第２２のステップを実行する、請求項３に記載の施設入所調整装置。
【請求項６】
前記プロセッサはさらに、
前記第１０のステップにおいて、前記受入定員を超える場合、前記第１の対象者に関して指定された世帯の優先順が、前記第３の対象者または前記第４の対象者に関して指定された優先順以上である場合、前記第１２のステップに進む、第２３のステップと、
前記優先順以上ではない場合、前記第１の対象者の第１希望の保育所を、前記第３の対象者または前記第４の対象者の中で第１希望以外としている対象者がいないのであれば、前記第８のステップへ進み、前記第１の対象者の第１希望の保育所を、前記第３の対象者または前記第４の対象者で第１希望以外としている対象者がいた場合は、前記第３の対象者または前記第４の対象者の第１希望が、前記第１の対象者の希望施設の中にある場合は、前記第８のステップへ進み、ないのであれば、前記第１の対象者の第１希望の保育所を、前記第３の対象者または前記第４の対象者の中で第１希望以外としている対象者を除外して、前記第９のステップへ進む、第２４のステップとを実行する、請求項１に記載の施設入所調整装置。
【請求項７】
記憶装置とプロセッサとを備えた施設入所調整装置によって実施される施設入所調整方法であって、
前記プロセッサは、
前記記憶装置に記憶され、保育所への入所を希望する対象者の入所希望情報が書き込まれた対象者リストから、第１の対象者の入所希望情報を読み取る第１のステップと、
前記入所希望情報に、兄弟姉妹同時入所希望が含まれている場合、前記対象者リストから、前記対象者の兄弟姉妹である１人または複数人である第２の対象者の入所希望情報を取得し、前記第１の対象者と前記第２の対象者とがすべて関連付けられた兄弟姉妹リストを作成し、前記兄弟姉妹リストを、前記記憶装置に記憶させる、第２のステップと、
前記兄弟姉妹同時入所希望において、兄弟姉妹が別々の保育所へ入所することが許容されている場合、保育所の受入定員がゼロではないのであれば、前記兄弟姉妹リストにおいて関連付けられた前記対象者の何れか１人の、前記保育所への入所を仮確定する第３のステップと、
前記兄弟姉妹リストにおいて関連付けられた前記対象者のすべてに対する前記仮確定が終わった訳ではない場合、前記第３のステップに進む、第４のステップと、
前記兄弟姉妹リストにおいて関連付けられた前記対象者のすべてに対して、前記入所の仮確定がなされた場合、前記兄弟姉妹を、対応する保育所に関連付けた入所決定リストを作成し、前記入所決定リストを、前記記憶装置に記憶させ、前記兄弟姉妹リストにおいて関連付けられた前記対象者の何れかに対して、前記入所の仮確定がなされなかった場合、前記兄弟姉妹を全員、入所を待機させるものとし、前記兄弟姉妹を、保育所に関連付けることなく、前記入所決定リストに書き込み、前記兄弟姉妹を前記対象者リストから削除する第５のステップと、
前記第２のステップの後、前記兄弟姉妹同時入所希望において、兄弟姉妹が別々の保育所へ入所することが許容されている場合、前記保育所の受入定員がゼロであれば、別の保育所を対象として、前記第３のステップを実行する、第６のステップと、
前記第２のステップの後、前記兄弟姉妹同時入所希望において、兄弟姉妹同時期に前記保育所への入所が希望されている場合、前記第１の対象者の前記保育所への入所を優先的に確定し、前記第２の対象者を前記保育所に入所できるまで待機させてもよいと希望されている場合、前記第１の対象者の前記保育所への入所を優先的に確定し、前記第２の対象者を別の保育所に入所させてもよいと希望されている場合、前記第２の対象者の前記保育所への入所を優先的に確定し、前記第１の対象者を前記保育所に入所できるまで待機させてもよいと希望されている場合、および、前記第２の対象者の前記保育所への入所を優先的に確定し、前記第１の対象者を別の保育所に入所させてもよいと希望されている場合、前記対象者リストから、前記第１の対象者の第１希望の保育所と同一の保育所を希望し、前記第２の対象者よりも優先順位が高い第３の対象者および前記第３の対象者の１人または複数人の兄弟姉妹である第４の対象者を抽出し、前記抽出した対象者が書き込まれた関連対象者リストを作成し、前記関連対象者リストを、前記記憶装置に記憶させる、第７のステップと、
前記兄弟姉妹リストに書き込まれている１人の前記第１の対象者または前記第２の対象者を対象とし、前記第１の対象者または前記第２の対象者とクラス年齢が等しく、前記第１の対象者または前記第２の対象者の第１希望の保育所が、前記第３の対象者または前記第４の対象者の希望保育所のうち何れかにある対象者を、前記関連対象者リストから取得する第８のステップと、
前記第１希望の保育所の受入定員がゼロである場合、第２希望の保育所を前記第１希望の保育所として、前記第８のステップに進む、第９のステップと、
前記第１希望の保育所の受入定員がゼロではない場合、前記第８のステップで対象とされた前記第３の対象者または前記第４の対象者との合計が、前記第１希望の保育所の受入定員以内であるか否かを判定する第１０のステップと、
前記第１０のステップにおいて、受入定員以内である場合、前記第８のステップで対象とした、前記第１の対象者または前記第２の対象者を、前記第１希望の保育所への入所を仮確定する第１１のステップと、
前記第１１のステップの後、前記第１の対象者と前記１人または複数の第２の対象者のすべてに対する入所の仮判定が完了した場合、前記第１の対象者と前記１人または複数の第２の対象者とのすべてが入所仮確定されているか否かを判定し、前記第１の対象者と前記１人または複数の第２の対象者のすべてに対する入所の仮判定が完了していない場合、前記第８のステップに進む、第１２のステップと、
前記第１２のステップにおいて、前記第１の対象者と前記１人または複数の第２の対象者とのすべてが入所仮確定と判定されている場合、前記第１の対象者と前記１人または複数の第２の対象者とのすべての入所を確定する第１３のステップとを実行する、施設入所調整方法。
【請求項８】
前記プロセッサはさらに、
前記第１３のステップにおいて、入所が確定された保育所の受入定員を、前記第１３のステップにおいて前記入所が確定された対象者の数だけ−１とする第１４のステップと、
前記第１３のステップにおいて、前記入所が確定された対象者の中に、転園者がいる場合、転園前の保育所の受入定員を＋１とする第１５のステップと、
前記対象者リストから、入所が確定された前記第１の対象者および前記１人または複数の第２の対象者を削除する第１６のステップとを実行する、請求項７に記載の施設入所調整方法。
【請求項９】
前記プロセッサはさらに、
前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されているのであれば、この保育所を第１希望の保育所として、前記第９のステップに進む、第１７のステップと、
前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されていないのであれば、前記第１の対象者と前記１人または複数の第２の対象者とのすべてによる同時入所の希望の内容に応じて以降の処理を決定する、第１８のステップと、
前記第１８のステップにおいて、前記同時入所の希望として、前記第１の対象者と前記１人または複数の第２の対象者とのすべてが同時期に同じ保育所に入所することを希望しているのであれば、前記第１の対象者と前記１人または複数の第２の対象者とのすべてを待機させ、前記第１６のステップに進む、第１９のステップと、
前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所があるのであれば、前記第１の対象者のこの保育所への入所を確定する第２０のステップとを実行する、請求項８に記載の施設入所調整方法。
【請求項１０】
前記プロセッサはさらに、
前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所がないのであれば、前記第１の対象者および前記１人または複数の第２の対象者のすべてを待機させ、前記第１６のステップに進む、第２１のステップを実行する、請求項９に記載の施設入所調整方法。
【請求項１１】
前記プロセッサはさらに、
前記第２０のステップの後、前記１人または複数の第２の対象者は、前記第１の対象者と同一の保育所への入所を希望するのであれば、待機し、別の保育所への入所を希望するのであれば、別の保育所への入所を決定し、前記第１６のステップに進む、第２２のステップを実行する、請求項９に記載の施設入所調整方法。
【請求項１２】
前記プロセッサはさらに、
前記第１０のステップにおいて、前記受入定員を超える場合、前記第１の対象者に関して指定された世帯の優先順が、前記第３の対象者または前記第４の対象者に関して指定された優先順以上である場合、前記第１２のステップに進む、第２３のステップと、
前記優先順以上ではない場合、前記第１の対象者の第１希望の保育所を、前記第３の対象者または前記第４の対象者の中で第１希望以外としている対象者がいないのであれば、前記第８のステップへ進み、前記第１の対象者の第１希望の保育所を、前記第３の対象者または前記第４の対象者で第１希望以外としている対象者がいた場合は、前記第３の対象者または前記第４の対象者の第１希望が、前記第１の対象者の希望施設の中にある場合は、前記第８のステップへ進み、ないのであれば、前記第１の対象者の第１希望の保育所を、前記第３の対象者または前記第４の対象者の中で第１希望以外としている対象者を除外して、前記第９のステップへ進む、第２４のステップとを実行する、請求項７に記載の施設入所調整方法。
【請求項１３】
記憶装置に記憶され、保育所への入所を希望する対象者の入所希望情報が書き込まれた対象者リストから、第１の対象者の入所希望情報を読み取る第１のステップを実施する機能、
前記入所希望情報に、兄弟姉妹同時入所希望が含まれている場合、前記対象者リストから、前記対象者の兄弟姉妹である１人または複数人である第２の対象者の入所希望情報を取得し、前記第１の対象者と前記第２の対象者とがすべて関連付けられた兄弟姉妹リストを作成し、前記兄弟姉妹リストを、前記記憶装置に記憶させる、第２のステップを実施する機能、
前記兄弟姉妹同時入所希望において、兄弟姉妹が別々の保育所へ入所することが許容されている場合、保育所の受入定員がゼロではないのであれば、前記兄弟姉妹リストにおいて関連付けられた前記対象者の何れか１人の、前記保育所への入所を仮確定する第３のステップを実施する機能、
前記兄弟姉妹リストにおいて関連付けられた前記対象者のすべてに対する前記仮確定が終わった訳ではない場合、前記第３のステップに進む、第４のステップを実施する機能、
前記兄弟姉妹リストにおいて関連付けられた前記対象者のすべてに対して、前記入所の仮確定がなされた場合、前記兄弟姉妹を、対応する保育所に関連付けた入所決定リストを作成し、前記入所決定リストを、前記記憶装置に記憶させ、前記兄弟姉妹リストにおいて関連付けられた前記対象者の何れかに対して、前記入所の仮確定がなされなかった場合、前記兄弟姉妹を全員、入所を待機させるものとし、前記兄弟姉妹を、保育所に関連付けることなく、前記入所決定リストに書き込み、前記兄弟姉妹を前記対象者リストから削除する第５のステップを実施する機能、
前記第２のステップの後、前記兄弟姉妹同時入所希望において、兄弟姉妹が別々の保育所へ入所することが許容されている場合、前記保育所の受入定員がゼロであれば、別の保育所を対象として、前記第３のステップを実行する、第６のステップを実施する機能、
前記第２のステップの後、前記兄弟姉妹同時入所希望において、兄弟姉妹同時期に前記保育所への入所が希望されている場合、前記第１の対象者の前記保育所への入所を優先的に確定し、前記第２の対象者を前記保育所に入所できるまで待機させてもよいと希望されている場合、前記第１の対象者の前記保育所への入所を優先的に確定し、前記第２の対象者を別の保育所に入所させてもよいと希望されている場合、前記第２の対象者の前記保育所への入所を優先的に確定し、前記第１の対象者を前記保育所に入所できるまで待機させてもよいと希望されている場合、および、前記第２の対象者の前記保育所への入所を優先的に確定し、前記第１の対象者を別の保育所に入所させてもよいと希望されている場合、前記対象者リストから、前記第１の対象者の第１希望の保育所と同一の保育所を希望し、前記第２の対象者よりも優先順位が高い第３の対象者および前記第３の対象者の１人または複数人の兄弟姉妹である第４の対象者を抽出し、前記抽出した対象者が書き込まれた関連対象者リストを作成し、前記関連対象者リストを、前記記憶装置に記憶させる、第７のステップを実施する機能、
前記兄弟姉妹リストに書き込まれている１人の前記第１の対象者または前記第２の対象者を対象とし、前記第１の対象者または前記第２の対象者とクラス年齢が等しく、前記第１の対象者または前記第２の対象者の第１希望の保育所が、前記第３の対象者または前記第４の対象者の希望保育所のうち何れかにある対象者を、前記関連対象者リストから取得する第８のステップを実施する機能、
前記第１希望の保育所の受入定員がゼロである場合、第２希望の保育所を前記第１希望の保育所として、前記第８のステップに進む、第９のステップを実施する機能、
前記第１希望の保育所の受入定員がゼロではない場合、前記第８のステップで対象とされた前記第３の対象者または前記第４の対象者との合計が、前記第１希望の保育所の受入定員以内であるか否かを判定する第１０のステップを実施する機能、
前記第１０のステップにおいて、受入定員以内である場合、前記第８のステップで対象とした、前記第１の対象者または第２の対象者を、前記第１希望の保育所への入所を仮確定する第１１のステップを実施する機能、  前記第１１のステップの後、前記第１の対象者と前記１人または複数の第２の対象者のすべてに対する入所の仮判定が完了した場合、前記第１の対象者と前記１人または複数の第２の対象者とのすべてが入所仮確定されているか否かを判定し、前記第１の対象者と前記１人または複数の第２の対象者のすべてに対する入所の仮判定が完了していない場合、前記第８のステップに進む、第１２のステップを実施する機能、
前記第１２のステップにおいて、前記第１の対象者と前記１人または複数の第２の対象者とのすべてが入所仮確定と判定されている場合、前記第１の対象者と前記１人または複数の第２の対象者とのすべての入所を確定する第１３のステップを実施する機能、をプロセッサに実現させるためのプログラム。
【請求項１４】
前記第１３のステップにおいて、入所が確定された保育所の受入定員を、前記第１３のステップにおいて前記入所が確定された対象者の数だけ−１とする第１４のステップを実施する機能、
前記第１３のステップにおいて、前記入所が確定された対象者の中に、転園者がいる場合、転園前の保育所の受入定員を＋１とする第１５のステップを実施する機能、
前記対象者リストから、入所が確定された前記第１の対象者および前記１人または複数の第２の対象者を削除する第１６のステップを実施する機能、を前記プロセッサに実現させるための請求項１３に記載のプログラム。
【請求項１５】
前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されているのであれば、この保育所を第１希望の保育所として、前記第９のステップに進む、第１７のステップを実施する機能、
前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されていないのであれば、前記第１の対象者と前記１人または複数の第２の対象者とのすべてによる同時入所の希望の内容に応じて以降の処理を決定する、第１８のステップを実施する機能、
前記第１８のステップにおいて、前記同時入所の希望として、前記第１の対象者と前記１人または複数の第２の対象者とのすべてが同時期に同じ保育所に入所することを希望しているのであれば、前記第１の対象者と前記１人または複数の第２の対象者とのすべてを待機させ、前記第１６のステップに進む、第１９のステップを実施する機能、
前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所があるのであれば、前記第１の対象者のこの保育所への入所を確定する第２０のステップを実施する機能、を前記プロセッサに実現させるための請求項１４に記載のプログラム。
【請求項１６】
前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所がないのであれば、前記第１の対象者および前記１人または複数の第２の対象者のすべてを待機させ、前記第１６のステップに進む、第２１のステップを実施する機能、を前記プロセッサに実現させるための請求項１５に記載のプログラム。
【請求項１７】
前記第２０のステップの後、前記１人または複数の第２の対象者は、前記第１の対象者と同一の保育所への入所を希望するのであれば、待機し、別の保育所への入所を希望するのであれば、別の保育所への入所を決定し、前記第１６のステップに進む、第２２のステップを実施する機能、を前記プロセッサに実現させるための請求項１５に記載のプログラム。
【請求項１８】
前記第１０のステップにおいて、前記受入定員を超える場合、前記第１の対象者に関して指定された世帯の優先順が、前記第３の対象者または前記第４の対象者に関して指定された優先順以上である場合、前記第１２のステップに進む、第２３のステップを実施する機能、
前記優先順以上ではない場合、前記第１の対象者の第１希望の保育所を、前記第３の対象者または前記第４の対象者の中で第１希望以外としている対象者がいないのであれば、前記第８のステップへ進み、前記第１の対象者の第１希望の保育所を、前記第３の対象者または前記第４の対象者で第１希望以外としている対象者がいた場合は、前記第３の対象者または前記第４の対象者の第１希望が、前記第１の対象者の希望施設の中にある場合は、前記第８のステップへ進み、ないのであれば、前記第１の対象者の第１希望の保育所を、前記第３の対象者または前記第４の対象者の中で第１希望以外としている対象者を除外して、前記第９のステップへ進む、第２４のステップを実施する機能、を前記プロセッサに実現させるための請求項１３に記載のプログラム。
【発明の詳細な説明】
【技術分野】
【０００１】
本発明は、例えば保育所のような施設への入所希望者の入所を調整する施設入所調整装置、方法、およびプログラムに関し、特に、兄弟姉妹同時入所の調整に係る処理を円滑に実施するための施設入所調整装置、方法、およびプログラムに関する。
【背景技術】
【０００２】
従来、例えば保育所のような施設への入所選考は、家庭状況をポイント化した点数によって行われる。この点数は、一般に、「指数」とも呼ばれ、「基準指数」、「調整指数」、「優先順位」からなる。
【０００３】
保護者の基準指数を合算し、調整指数の加点、減点を行ったものが入所希望者の「持ち点」となり、「持ち点」が同じ点数だった入所希望者同士は、優先順位によって順位付けされ、優先順位の高い希望者から入所できる。
【０００４】
基準指数とは、就労状況（例えば、フルタイム勤務か、就学かなど）や、健康状態（例えば、病気や障害など）といった、保護者の基本情報をポイント化した点数である。
【０００５】
調整指数とは、家庭の状況に合わせて、加点や減点を調整するための点数である。例えば、既に同一の自治体内の認可保育園に通う兄弟姉妹がいた場合、１点の「調整指数」が加点されるという具合である。
【０００６】
優先順位とは、同一指数の希望者がいた場合に、入所者を決定するための順位付けの定義である。例えば、優先順位付けにおいて有利になり得る項目としては、兄弟姉妹の保育所入所状況、就労による認可外保育所やベビーシッター等の利用実績、自治体居住歴（長い方が有利）、単身赴任世帯等がある。
【０００７】
このような入所選考を行うために、入所選考担当者は、入所希望者から申告された基準指数に、調整指数を加算または減算することによって、各入所希望者の点数を計算し、各入所希望者を点数順にソートし、点数の高い順から、入所者を決定している。
【０００８】
入所担当選考者は、このような計算およびソートを、手作業で行っているために、多大な手間と時間とを要している。
【０００９】
また、一般に、点数が同点となるケースが多い。点数が同点となった場合、前述したように、優先順位を考慮して、順位が決定される。
【００１０】
また、兄弟姉妹で同時期に同じ保育所に入所を希望する場合がある。この場合、兄弟姉妹が同じ保育所に入所が割り当てられることが出来た場合に兄弟共に入所が決定となり、兄弟の何れかが保育所に割り当てられなかった場合は、先に割り当てることができた他の兄弟の結果を破棄し、兄弟ともに第2希望の保育所で割り当てが可能かを判定することになる。
【００１１】
しかしながら、このような優先順位を考慮してなされる順位の決定作業も、入所担当選考者による手作業で行われているので、やはり、多大な手間および時間を要している。このように兄弟姉妹で同時期に同じ保育所に入所を希望する場合は、単に優先順位と施設の空きだけで決定する事ができないため、入所選考担当者の多大な手間および時間を要している。
【００１２】
また、先に保育所に入所している兄弟姉妹が第2希望以下の保育所に入所している場合など、別の兄弟姉妹の保育所の入所申請にあわせて転園を希望するケースがある。
【００１３】
転園希望の児童の入所(転園)が決定した場合、当該児童が入所していた保育所の定員に１つ空きが出来ることになる。しかし、入所(転園)が決定しない場合は空きができない。
【００１４】
このように、転園希望児童の入所が決定するかしないかにより、保育所の空き定員が変わることを考慮し、手作業で入所者を決定する点も多大な時間を要する一因となっている。
【００１５】
「保育所の入所を希望する児童」と「保育所」など、２集団をマッチングする従来技術にＤＡ（Ｄｅｆｅｒｒｅｄ  Ａｃｃｅｐｔａｎｃｅ）アルゴリズムやＳＤ（Ｓｅｒｉａｌ  Ｄｉｃｔａｔｏｒｓｈｉｐ）メカニズム等がある。
【先行技術文献】
【特許文献】
【００１６】
【特許文献１】特開2018-133053号公報
【特許文献２】特開2018-133056号公報
【特許文献３】特開2019-067155号公報
【特許文献４】特開2019-067158号公報
【発明の概要】
【発明が解決しようとする課題】
【００１７】
以上説明したように、従来は、各入所希望者の点数を計算し、点数順にソートし、点数が同点の場合は、兄弟姉妹の保育所入所状況を考慮して、優先順位付けを行い、入所者を決定するといった一連の処理が、手作業でなされている。また、従来のマッチング技術では「兄弟姉妹が同時期に同じ保育所を希望する場合」や「転園を希望する場合」を考慮したマッチングは行えない。
【００１８】
本発明はこのような事情に鑑みてなされたものであり、例えば保育所のような施設への入所希望者、特に、兄弟姉妹同時入所を希望する入所希望者の入所決定や、転園を希望する入所希望者の入所決定のためになされる一連の処理を、自動的に実施することが可能な施設入所調整装置、方法、およびプログラムを提供することを目的とする。
【課題を解決するための手段】
【００１９】
すなわち、請求項１の発明は、記憶装置とプロセッサとを備えた施設入所調整装置であって、前記プロセッサが、前記記憶装置に記憶され、保育所への入所を希望する対象者の入所希望情報が書き込まれた対象者リストから、第１の対象者の入所希望情報を読み取る第１のステップと、前記入所希望情報に、兄弟姉妹同時入所希望が含まれている場合、前記対象者リストから、前記対象者の兄弟姉妹である１人または複数人である第２の対象者の入所希望情報を取得し、前記第１の対象者と前記第２の対象者とがすべて関連付けられた兄弟姉妹リストを作成し、前記兄弟姉妹リストを、前記記憶装置に記憶させる、第２のステップと、前記兄弟姉妹同時入所希望において、兄弟姉妹が別々の保育所へ入所することが許容されている場合、保育所の受入定員がゼロではないのであれば、前記兄弟姉妹リストにおいて関連付けられた前記対象者の何れか１人の、前記保育所への入所を仮確定する第３のステップと、前記兄弟姉妹リストにおいて関連付けられた前記対象者のすべてに対する前記仮確定が終わった訳ではない場合、前記第３のステップに進む、第４のステップと、前記兄弟姉妹リストにおいて関連付けられた前記対象者のすべてに対して、前記入所の仮確定がなされた場合、前記兄弟姉妹を、対応する保育所に関連付けた入所決定リストを作成し、前記入所決定リストを、前記記憶装置に記憶させ、前記兄弟姉妹リストにおいて関連付けられた前記対象者の何れかに対して、前記入所の仮確定がなされなかった場合、前記兄弟姉妹を全員、入所を待機させるものとし、前記兄弟姉妹を、保育所に関連付けることなく、前記入所決定リストに書き込み、前記兄弟姉妹を前記対象者リストから削除する第５のステップと、前記第２のステップの後、前記兄弟姉妹同時入所希望において、兄弟姉妹が別々の保育所へ入所することが許容されている場合、前記保育所の受入定員がゼロであれば、別の保育所を対象として、前記第３のステップを実行する、第６のステップと、前記第２のステップの後、前記兄弟姉妹同時入所希望において、兄弟姉妹同時期に前記保育所への入所が希望されている場合、前記第１の対象者の前記保育所への入所を優先的に確定し、前記第２の対象者を前記保育所に入所できるまで待機させてもよいと希望されている場合、前記第１の対象者の前記保育所への入所を優先的に確定し、前記第２の対象者を別の保育所に入所させてもよいと希望されている場合、前記第２の対象者の前記保育所への入所を優先的に確定し、前記第１の対象者を前記保育所に入所できるまで待機させてもよいと希望されている場合、および、前記第２の対象者の前記保育所への入所を優先的に確定し、前記第１の対象者を別の保育所に入所させてもよいと希望されている場合、前記対象者リストから、前記第１の対象者の第１希望の保育所と同一の保育所を希望し、前記第２の対象者よりも優先順位が高い第３の対象者および前記第３の対象者の１人または複数人の兄弟姉妹である第４の対象者を抽出し、前記抽出した対象者が書き込まれた関連対象者リストを作成し、前記関連対象者リストを、前記記憶装置に記憶させる、第７のステップと、前記兄弟姉妹リストに書き込まれている１人の前記第１の対象者または前記第２の対象者を対象とし、前記第１の対象者または前記第２の対象者とクラス年齢が等しく、前記第１の対象者または前記第２の対象者の第１希望の保育所が、前記第３の対象者または前記第４の対象者の希望保育所のうち何れかにある対象者を、前記関連対象者リストから取得する第８のステップと、前記第１希望の保育所の児童が新規に入所可能な定員である受入定員がゼロである場合、第２希望の保育所を前記第１希望の保育所として、前記第８のステップに進む、第９のステップと、前記第１希望の保育所の受入定員がゼロではない場合、前記第８のステップで対象とされた前記第３の対象者または前記第４の対象者との合計が、前記第１希望の保育所の受入定員以内であるか否かを判定する第１０のステップと、前記第１０のステップにおいて、受入定員以内である場合、前記第８のステップで対象とした、前記第１の対象者または前記第２の対象者を、前記第１希望の保育所への入所を仮確定する第１１のステップと、前記第１１のステップの後、前記第１の対象者と前記１人または複数の第２の対象者のすべてに対する入所の仮判定が完了した場合、前記第１の対象者と前記１人または複数の第２の対象者とのすべてが入所仮確定されているか否かを判定し、前記第１の対象者と前記１人または複数の第２の対象者のすべてに対する入所の仮判定が完了していない場合、前記第８のステップに進む、第１２のステップと、前記第１２のステップにおいて、前記第１の対象者と前記１人または複数の第２の対象者とのすべてが入所仮確定と判定されている場合、前記第１の対象者と前記１人または複数の第２の対象者とのすべての入所を確定する第１３のステップとを実行する。
【００２２】
請求項２の発明は、前記プロセッサがさらに、前記第１３のステップにおいて、入所が確定された保育所の受入定員を、前記第１３のステップにおいて前記入所が確定された対象者の数だけ−１とする第１４のステップと、前記第１３のステップにおいて、前記入所が確定された対象者の中に、転園者がいる場合、転園前の保育所の受入定員を＋１とする第１５のステップと、前記対象者リストから、入所が確定された前記第１の対象者および前記１人または複数の第２の対象者を削除する第１６のステップとを実行する、請求項１に記載の施設入所調整装置である。
【００２３】
請求項３の発明は、前記プロセッサがさらに、前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されているのであれば、この保育所を第１希望の保育所として、前記第９のステップに進む、第１７のステップと、前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されていないのであれば、前記第１の対象者と前記１人または複数の第２の対象者とのすべてによる同時入所の希望の内容に応じて以降の処理を決定する、第１８のステップと、前記第１８のステップにおいて、前記同時入所の希望として、前記第１の対象者と前記１人または複数の第２の対象者とのすべてが同時期に同じ保育所に入所することを希望しているのであれば、前記第１の対象者と前記１人または複数の第２の対象者とのすべてを待機させ、前記第１６のステップに進む、第１９のステップと、前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所があるのであれば、前記第１の対象者のこの保育所への入所を確定する第２０のステップとを実行する、請求項２に記載の施設入所調整装置である。
【００２４】
請求項４の発明は、前記プロセッサがさらに、前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所がないのであれば、前記第１の対象者および前記１人または複数の第２の対象者のすべてを待機させ、前記第１６のステップに進む、第２１のステップを実行する、請求項３に記載の施設入所調整装置である。
【００２５】
請求項５の発明は、前記プロセッサがさらに、前記第２０のステップの後、前記１人または複数の第２の対象者は、前記第１の対象者と同一の保育所への入所を希望するのであれば、待機し、別の保育所への入所を希望するのであれば、別の保育所への入所を決定し、前記第１６のステップに進む、第２２のステップを実行する、請求項３に記載の施設入所調整装置である。
【００２６】
請求項６の発明は、前記プロセッサがさらに、前記第１０のステップにおいて、前記受入定員を超える場合、前記第１の対象者に関して指定された世帯の優先順が、前記第３の対象者または前記第４の対象者に関して指定された優先順以上である場合、前記第１２のステップに進む、第２３のステップと、前記優先順以上ではない場合、前記第１の対象者の第１希望の保育所を、前記第３の対象者または前記第４の対象者の中で第１希望以外としている対象者がいないのであれば、前記第８のステップへ進み、前記第１の対象者の第１希望の保育所を、前記第３の対象者または前記第４の対象者で第１希望以外としている対象者がいた場合は、前記第３の対象者または前記第４の対象者の第１希望が、前記第１の対象者の希望施設の中にある場合は、前記第８のステップへ進み、ないのであれば、前記第１の対象者の第１希望の保育所を、前記第３の対象者または前記第４の対象者の中で第１希望以外としている対象者を除外して、前記第９のステップへ進む、第２４のステップとを実行する、請求項１に記載の施設入所調整装置である。
【００２７】
請求項７の発明は、記憶装置とプロセッサとを備えた施設入所調整装置によって実施される施設入所調整方法であって、前記プロセッサが、前記記憶装置に記憶され、保育所への入所を希望する対象者の入所希望情報が書き込まれた対象者リストから、第１の対象者の入所希望情報を読み取る第１のステップと、前記入所希望情報に、兄弟姉妹同時入所希望が含まれている場合、前記対象者リストから、前記対象者の兄弟姉妹である１人または複数人である第２の対象者の入所希望情報を取得し、前記第１の対象者と前記第２の対象者とがすべて関連付けられた兄弟姉妹リストを作成し、前記兄弟姉妹リストを、前記記憶装置に記憶させる、第２のステップと、前記兄弟姉妹同時入所希望において、兄弟姉妹が別々の保育所へ入所することが許容されている場合、保育所の受入定員がゼロではないのであれば、前記兄弟姉妹リストにおいて関連付けられた前記対象者の何れか１人の、前記保育所への入所を仮確定する第３のステップと、前記兄弟姉妹リストにおいて関連付けられた前記対象者のすべてに対する前記仮確定が終わった訳ではない場合、前記第３のステップに進む、第４のステップと、前記兄弟姉妹リストにおいて関連付けられた前記対象者のすべてに対して、前記入所の仮確定がなされた場合、前記兄弟姉妹を、対応する保育所に関連付けた入所決定リストを作成し、前記入所決定リストを、前記記憶装置に記憶させ、前記兄弟姉妹リストにおいて関連付けられた前記対象者の何れかに対して、前記入所の仮確定がなされなかった場合、前記兄弟姉妹を全員、入所を待機させるものとし、前記兄弟姉妹を、保育所に関連付けることなく、前記入所決定リストに書き込み、前記兄弟姉妹を前記対象者リストから削除する第５のステップと、前記第２のステップの後、前記兄弟姉妹同時入所希望において、兄弟姉妹が別々の保育所へ入所することが許容されている場合、前記保育所の受入定員がゼロであれば、別の保育所を対象として、前記第３のステップを実行する、第６のステップと、前記第２のステップの後、前記兄弟姉妹同時入所希望において、兄弟姉妹同時期に前記保育所への入所が希望されている場合、前記第１の対象者の前記保育所への入所を優先的に確定し、前記第２の対象者を前記保育所に入所できるまで待機させてもよいと希望されている場合、前記第１の対象者の前記保育所への入所を優先的に確定し、前記第２の対象者を別の保育所に入所させてもよいと希望されている場合、前記第２の対象者の前記保育所への入所を優先的に確定し、前記第１の対象者を前記保育所に入所できるまで待機させてもよいと希望されている場合、および、前記第２の対象者の前記保育所への入所を優先的に確定し、前記第１の対象者を別の保育所に入所させてもよいと希望されている場合、前記対象者リストから、前記第１の対象者の第１希望の保育所と同一の保育所を希望し、前記第２の対象者よりも優先順位が高い第３の対象者および前記第３の対象者の１人または複数人の兄弟姉妹である第４の対象者を抽出し、前記抽出した対象者が書き込まれた関連対象者リストを作成し、前記関連対象者リストを、前記記憶装置に記憶させる、第７のステップと、前記兄弟姉妹リストに書き込まれている１人の前記第１の対象者または前記第２の対象者を対象とし、前記第１の対象者または前記第２の対象者とクラス年齢が等しく、前記第１の対象者または前記第２の対象者の第１希望の保育所が、前記第３の対象者または前記第４の対象者の希望保育所のうち何れかにある対象者を、前記関連対象者リストから取得する第８のステップと、前記第１希望の保育所の受入定員がゼロである場合、第２希望の保育所を前記第１希望の保育所として、前記第８のステップに進む、第９のステップと、前記第１希望の保育所の受入定員がゼロではない場合、前記第８のステップで対象とされた前記第３の対象者または前記第４の対象者との合計が、前記第１希望の保育所の受入定員以内であるか否かを判定する第１０のステップと、前記第１０のステップにおいて、受入定員以内である場合、前記第８のステップで対象とした、前記第１の対象者または前記第２の対象者を、前記第１希望の保育所への入所を仮確定する第１１のステップと、前記第１１のステップの後、前記第１の対象者と前記１人または複数の第２の対象者のすべてに対する入所の仮判定が完了した場合、前記第１の対象者と前記１人または複数の第２の対象者とのすべてが入所仮確定されているか否かを判定し、前記第１の対象者と前記１人または複数の第２の対象者のすべてに対する入所の仮判定が完了していない場合、前記第８のステップに進む、第１２のステップと、前記第１２のステップにおいて、前記第１の対象者と前記１人または複数の第２の対象者とのすべてが入所仮確定と判定されている場合、前記第１の対象者と前記１人または複数の第２の対象者とのすべての入所を確定する第１３のステップとを実行する、施設入所調整方法である。
【００３０】
請求項８の発明は、前記プロセッサがさらに、前記第１３のステップにおいて、入所が確定された保育所の受入定員を、前記第１３のステップにおいて前記入所が確定された対象者の数だけ−１とする第１４のステップと、前記第１３のステップにおいて、前記入所が確定された対象者の中に、転園者がいる場合、転園前の保育所の受入定員を＋１とする第１５のステップと、前記対象者リストから、入所が確定された前記第１の対象者および前記１人または複数の第２の対象者を削除する第１６のステップとを実行する、請求項７に記載の施設入所調整方法である。
【００３１】
請求項９の発明は、前記プロセッサがさらに、前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されているのであれば、この保育所を第１希望の保育所として、前記第９のステップに進む、第１７のステップと、前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されていないのであれば、前記第１の対象者と前記１人または複数の第２の対象者とのすべてによる同時入所の希望の内容に応じて以降の処理を決定する、第１８のステップと、前記第１８のステップにおいて、前記同時入所の希望として、前記第１の対象者と前記１人または複数の第２の対象者とのすべてが同時期に同じ保育所に入所することを希望しているのであれば、前記第１の対象者と前記１人または複数の第２の対象者とのすべてを待機させ、前記第１６のステップに進む、第１９のステップと、前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所があるのであれば、前記第１の対象者のこの保育所への入所を確定する第２０のステップとを実行する、請求項８に記載の施設入所調整方法である。
【００３２】
請求項１０の発明は、前記プロセッサがさらに、前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所がないのであれば、前記第１の対象者および前記１人または複数の第２の対象者のすべてを待機させ、前記第１６のステップに進む、第２１のステップを実行する、請求項９に記載の施設入所調整方法である。
【００３３】
請求項１１の発明は、前記プロセッサがさらに、前記第２０のステップの後、前記１人または複数の第２の対象者は、前記第１の対象者と同一の保育所への入所を希望するのであれば、待機し、別の保育所への入所を希望するのであれば、別の保育所への入所を決定し、前記第１６のステップに進む、第２２のステップを実行する、請求項９に記載の施設入所調整方法である。
【００３４】
請求項１２の発明は、前記プロセッサがさらに、前記第１０のステップにおいて、前記受入定員を超える場合、前記第１の対象者に関して指定された世帯の優先順が、前記第３の対象者または前記第４の対象者に関して指定された優先順以上である場合、前記第１２のステップに進む、第２３のステップと、前記優先順以上ではない場合、前記第１の対象者の第１希望の保育所を、前記第３の対象者または前記第４の対象者の中で第１希望以外としている対象者がいないのであれば、前記第８のステップへ進み、前記第１の対象者の第１希望の保育所を、前記第３の対象者または前記第４の対象者で第１希望以外としている対象者がいた場合は、前記第３の対象者または前記第４の対象者の第１希望が、前記第１の対象者の希望施設の中にある場合は、前記第８のステップへ進み、ないのであれば、前記第１の対象者の第１希望の保育所を、前記第３の対象者または前記第４の対象者の中で第１希望以外としている対象者を除外して、前記第９のステップへ進む、第２４のステップとを実行する、請求項７に記載の施設入所調整方法である。
【００３５】
請求項１３の発明は、記憶装置に記憶され、保育所への入所を希望する対象者の入所希望情報が書き込まれた対象者リストから、第１の対象者の入所希望情報を読み取る第１のステップを実施する機能、前記入所希望情報に、兄弟姉妹同時入所希望が含まれている場合、前記対象者リストから、前記対象者の兄弟姉妹である１人または複数人である第２の対象者の入所希望情報を取得し、前記第１の対象者と前記第２の対象者とがすべて関連付けられた兄弟姉妹リストを作成し、前記兄弟姉妹リストを、前記記憶装置に記憶させる、第２のステップを実施する機能、前記兄弟姉妹同時入所希望において、兄弟姉妹が別々の保育所へ入所することが許容されている場合、保育所の受入定員がゼロではないのであれば、前記兄弟姉妹リストにおいて関連付けられた前記対象者の何れか１人の、前記保育所への入所を仮確定する第３のステップを実施する機能、前記兄弟姉妹リストにおいて関連付けられた前記対象者のすべてに対する前記仮確定が終わった訳ではない場合、前記第３のステップに進む、第４のステップを実施する機能、前記兄弟姉妹リストにおいて関連付けられた前記対象者のすべてに対して、前記入所の仮確定がなされた場合、前記兄弟姉妹を、対応する保育所に関連付けた入所決定リストを作成し、前記入所決定リストを、前記記憶装置に記憶させ、前記兄弟姉妹リストにおいて関連付けられた前記対象者の何れかに対して、前記入所の仮確定がなされなかった場合、前記兄弟姉妹を全員、入所を待機させるものとし、前記兄弟姉妹を、保育所に関連付けることなく、前記入所決定リストに書き込み、前記兄弟姉妹を前記対象者リストから削除する第５のステップを実施する機能、前記第２のステップの後、前記兄弟姉妹同時入所希望において、兄弟姉妹が別々の保育所へ入所することが許容されている場合、前記保育所の受入定員がゼロであれば、別の保育所を対象として、前記第３のステップを実行する、第６のステップを実施する機能、前記第２のステップの後、前記兄弟姉妹同時入所希望において、兄弟姉妹同時期に前記保育所への入所が希望されている場合、前記第１の対象者の前記保育所への入所を優先的に確定し、前記第２の対象者を前記保育所に入所できるまで待機させてもよいと希望されている場合、前記第１の対象者の前記保育所への入所を優先的に確定し、前記第２の対象者を別の保育所に入所させてもよいと希望されている場合、前記第２の対象者の前記保育所への入所を優先的に確定し、前記第１の対象者を前記保育所に入所できるまで待機させてもよいと希望されている場合、および、前記第２の対象者の前記保育所への入所を優先的に確定し、前記第１の対象者を別の保育所に入所させてもよいと希望されている場合、前記対象者リストから、前記第１の対象者の第１希望の保育所と同一の保育所を希望し、前記第２の対象者よりも優先順位が高い第３の対象者および前記第３の対象者の１人または複数人の兄弟姉妹である第４の対象者を抽出し、前記抽出した対象者が書き込まれた関連対象者リストを作成し、前記関連対象者リストを、前記記憶装置に記憶させる、第７のステップを実施する機能、前記兄弟姉妹リストに書き込まれている１人の前記第１の対象者または前記第２の対象者を対象とし、前記第１の対象者または前記第２の対象者とクラス年齢が等しく、前記第１の対象者または第２の対象者の第１希望の保育所が、前記第３の対象者または前記第４の対象者の希望保育所のうち何れかにある対象者を、前記関連対象者リストから取得する第８のステップを実施する機能、前記第１希望の保育所の受入定員がゼロである場合、第２希望の保育所を前記第１希望の保育所として、前記第８のステップに進む、第９のステップを実施する機能、前記第１希望の保育所の受入定員がゼロではない場合、前記第８のステップで対象とされた前記第３の対象者または前記第４の対象者との合計が、前記第１希望の保育所の受入定員以内であるか否かを判定する第１０のステップを実施する機能、前記第１０のステップにおいて、受入定員以内である場合、前記第８のステップで対象とした、前記第１の対象者または前記第２の対象者を、前記第１希望の保育所への入所を仮確定する第１１のステップを実施する機能、前記第１１のステップの後、前記第１の対象者と前記１人または複数の第２の対象者のすべてに対する入所の仮判定が完了した場合、前記第１の対象者と前記１人または複数の第２の対象者とのすべてが入所仮確定されているか否かを判定し、前記第１の対象者と前記１人または複数の第２の対象者のすべてに対する入所の仮判定が完了していない場合、前記第８のステップに進む、第１２のステップを実施する機能、前記第１２のステップにおいて、前記第１の対象者と前記１人または複数の第２の対象者とのすべてが入所仮確定と判定されている場合、前記第１の対象者と前記１人または複数の第２の対象者とのすべての入所を確定する第１３のステップを実施する機能、をプロセッサに実現させるためのプログラムである。
【００３８】
請求項１４の発明は、前記第１３のステップにおいて、入所が確定された保育所の受入定員を、前記第１３のステップにおいて前記入所が確定された対象者の数だけ−１とする第１４のステップを実施する機能、前記第１３のステップにおいて、前記入所が確定された対象者の中に、転園者がいる場合、転園前の保育所の受入定員を＋１とする第１５のステップを実施する機能、前記対象者リストから、入所が確定された前記第１の対象者および前記１人または複数の第２の対象者を削除する第１６のステップを実施する機能、を前記プロセッサに実現させるための請求項１３に記載のプログラムである。
【００３９】
請求項１５の発明は、前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されているのであれば、この保育所を第１希望の保育所として、前記第９のステップに進む、第１７のステップを実施する機能、前記第１２のステップにおいて、前記第１の対象者と前記１人または複数の第２の対象者とのすべてが入所仮確定と判定されている訳ではない場合、前記第１の対象者と前記１人または複数の第２の対象者とのすべてによって、他の保育所が希望されていないのであれば、前記第１の対象者と前記１人または複数の第２の対象者とのすべてによる同時入所の希望の内容に応じて以降の処理を決定する、第１８のステップを実施する機能、前記第１８のステップにおいて、前記同時入所の希望として、前記第１の対象者と前記１人または複数の第２の対象者とのすべてが同時期に同じ保育所に入所することを希望しているのであれば、前記第１の対象者と前記１人または複数の第２の対象者とのすべてを待機させ、前記第１６のステップに進む、第１９のステップを実施する機能、前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所があるのであれば、前記第１の対象者のこの保育所への入所を確定する第２０のステップを実施する機能、を前記プロセッサに実現させるための請求項１４に記載のプログラムである。
【００４０】
請求項１６の発明は、前記第１８のステップにおいて、前記同時入所の希望として、前記第１の対象者と前記１人または複数の第２の対象者とのすべてが同時期に入所希望ではあるが、必ずしも同じ保育所に入所することを希望している訳ではない場合であって、入所可能な保育所がないのであれば、前記第１の対象者および前記１人または複数の第２の対象者のすべてを待機させ、前記第１６のステップに進む、第２１のステップを実施する機能、を前記プロセッサに実現させるための請求項１５に記載のプログラムである。
【００４１】
請求項１７の発明は、前記第２０のステップの後、前記１人または複数の第２の対象者は、前記第１の対象者と同一の保育所への入所を希望するのであれば、待機し、別の保育所への入所を希望するのであれば、別の保育所への入所を決定し、前記第１６のステップに進む、第２２のステップを実施する機能、を前記プロセッサに実現させるための請求項１５に記載のプログラムである。
【００４２】
請求項１８の発明は、前記第１０のステップにおいて、前記受入定員を超える場合、前記第１の対象者に関して指定された世帯の優先順が、前記第３の対象者または前記第４の対象者に関して指定された優先順以上である場合、前記第１２のステップに進む、第２３のステップを実施する機能、前記優先順以上ではない場合、前記第１の対象者の第１希望の保育所を、前記第３の対象者または前記第４の対象者の中で第１希望以外としている対象者がいないのであれば、前記第８のステップへ進み、前記第１の対象者の第１希望の保育所を、前記第３の対象者または前記第４の対象者で第１希望以外としている対象者がいた場合は、前記第３の対象者または前記第４の対象者の第１希望が、前記第１の対象者の希望施設の中にある場合は、前記第８のステップへ進み、ないのであれば、前記第１の対象者の第１希望の保育所を、前記第３の対象者または前記第４の対象者の中で第１希望以外としている対象者を除外して、前記第９のステップへ進む、第２４のステップを実施する機能、を前記プロセッサに実現させるための請求項１３に記載のプログラムである。
【発明の効果】
【００４３】
本発明によれば、例えば保育所のような施設への入所希望者、特に、兄弟姉妹同時入所を希望する入所希望者の入所決定や、転園を希望する入所希望者の入所決定のためになされる一連の処理を、自動的に実施することが可能な施設入所調整装置、方法、およびプログラムを実現することができる。
【図面の簡単な説明】
【００４４】
【図１】本発明の実施形態に係る施設入所調整方法が適用された施設入所調整装置が適用さえるネットワーク構成例を示す図である。
【図２】本発明の実施形態に係る施設入所調整方法が適用された施設入所調整装置の構成例を示す機能ブロック図である。
【図３Ａ】施設入所調整モジュールの処理の流れを例示するフローチャートである（１／５）。
【図３Ｂ】施設入所調整モジュールの処理の流れを例示するフローチャートである（２／５）。
【図３Ｃ】施設入所調整モジュールの処理の流れを例示するフローチャートである（３／５）。
【図３Ｄ】施設入所調整モジュールの処理の流れを例示するフローチャートである（４／５）。
【図３Ｅ】施設入所調整モジュール２２の処理の流れを例示するフローチャートである（５／５）。
【図４−１】施設入所調整モジュールによってなされる処理を補足説明するための図である。
【図４−２】施設入所調整モジュールによってなされる処理を補足説明するための図である。
【図４−３】施設入所調整モジュールによってなされる処理を補足説明するための図である。
【図４−４】施設入所調整モジュールによってなされる処理を補足説明するための図である。
【図４−５】施設入所調整モジュールによってなされる処理を補足説明するための図である。
【図４−６】施設入所調整モジュールによってなされる処理を補足説明するための図である。
【図４−７】施設入所調整モジュールによってなされる処理を補足説明するための図である。
【図４−８】施設入所調整モジュールによってなされる処理を補足説明するための図である。
【図４−９ａ】施設入所調整モジュールによってなされる処理を補足説明するための図である。
【図４−９ｂ】施設入所調整モジュールによってなされる処理を補足説明するための図である。
【図４−１０】施設入所調整モジュールによってなされる処理を補足説明するための図である。
【図４−１１】施設入所調整モジュールによってなされる処理を補足説明するための図である。
【図４−１２】施設入所調整モジュールによってなされる処理を補足説明するための図である。
【図４−１３】施設入所調整モジュールによってなされる処理を補足説明するための図である。
【図４−１４】施設入所調整モジュールによってなされる処理を補足説明するための図である。
【図４−１５】施設入所調整モジュールによってなされる処理を補足説明するための図である。
【図４−１６】施設入所調整モジュールによってなされる処理を補足説明するための図である。
【図４−１７】施設入所調整モジュールによってなされる処理を補足説明するための図である。
【図４−１８】施設入所調整モジュールによってなされる処理を補足説明するための図である。
【図４−１９】施設入所調整モジュールによってなされる処理を補足説明するための図である。
【図４−２０】施設入所調整モジュールによってなされる処理を補足説明するための図である。
【図４−２１】施設入所調整モジュールによってなされる処理を補足説明するための図である。
【図４−２２】施設入所調整モジュールによってなされる処理を補足説明するための図である。
【図４−２３】施設入所調整モジュールによってなされる処理を補足説明するための図である。
【図４−２４】施設入所調整モジュールによってなされる処理を補足説明するための図である。
【図４−２５】施設入所調整モジュールによってなされる処理を補足説明するための図である。
【図４−２６】施設入所調整モジュールによってなされる処理を補足説明するための図である。
【図５】対象者リストのデータ構成例を示す図である。
【図６】施設の受入定員を示す施設リストのデータ構成例を示す図である。
【図７】兄弟姉妹リストのデータ構成例を示す図である。
【図８】兄弟姉妹同時入所希望の内容分類を示す図である。
【図９】関連対象者リストのデータ構成例を示す図である。
【図１０】入所決定リストのデータ構成例を示す図である。
【発明を実施するための形態】
【００４５】
以下に、本発明の実施形態を、図面を参照して説明する。
【００４６】
以下の実施形態の説明において、同一部分については、同一符号を用いて示し、重複説明を避ける。
【００４７】
図１は、本発明の実施形態に係る施設入所調整方法が適用された施設入所調整装置が適用されるネットワーク構成例を示す図である。
【００４８】
なお、以下の説明では、施設として保育所を例に説明するが、本明細書において施設とは、保育所に限定されるものではなく、認定こども園、地域型保育事業所、放課後児童クラブ、塾、医療施設等をも含むものであることに留意されたい。
【００４９】
施設入所調整装置１０は、例えばサーバのようなコンピュータによって実現され、例えばＰＣやタブレットのような複数の端末８０と、例えば有線または無線の通信ネットワーク７０を介して通信可能に接続され、端末８０から、施設入所調整プログラムを実行可能にする。
【００５０】
複数の端末８０はそれぞれ、例えば、役所や役場等の自治体の担当部署に配置され、入所選考担当者によって使用される。
【００５１】
なお、図１に例示するようなネットワーク環境には、イーサネット（登録商標）等のＬＡＮ、あるいは公衆回線や専用回線を介して複数のＬＡＮが接続されるＷＡＮ等を含み得る。ＬＡＮの場合には、必要に応じてルータを介した多数のサブネットから構成される。また、ＷＡＮの場合には、公衆回線に接続するためのファイアウォール等を適宜備えているが、ここではその図示および詳細説明を省略する。
【００５２】
図２は、本発明の実施形態に係る施設入所調整方法が適用された施設入所調整装置の構成例を示す機能ブロック図である。
【００５３】
施設入所調整装置１０の電子回路は、バス１１によって互いに接続されたＣＰＵ１２、記録媒体読取部１４、通信部１５、メモリ２０、および記憶装置３０を備えている。
【００５４】
メモリ２０は、施設入所調整装置１０を実現するプログラムである施設入所調整モジュール２２を記憶している。
【００５５】
施設入所調整モジュール２２は、メモリ２０に予め記憶されていてもよいし、あるいはメモリカード等の外部記録媒体１３から記録媒体読取部１４を介してメモリ２０に読み込まれて記憶されたものであってもよい。施設入所調整モジュール２２は、書き換えできないようになっている。
【００５６】
メモリ２０には、このようなユーザ書き換え不可能なエリアの他に、書き換え可能なデータを記憶するエリアとして、書込可能データエリア２８が確保されている。
【００５７】
ＣＰＵ１２は、施設入所調整モジュール２２を実行可能な１つまたは複数のプロセッサの一例であって、施設入所調整モジュール２２に従い回路各部の動作を制御する。
【００５８】
記憶装置３０は、対象者リスト３１、兄弟姉妹リスト３２、関連対象者リスト３３、入所仮確定リスト３４、入所確定リスト３５、および入所決定リスト３６を記憶している。これら各リストのデータ構成については、後述する。
【００５９】
記憶装置３０は、例えばＳＳＤ（Solid State Drive）やＨＤＤ（Hard Disk Drive）等からなる。
【００６０】
通信部１５は、通信ネットワーク７０に接続されており、通信ネットワーク７０を介してなされる端末８０と施設入所調整装置１０との間の情報の送受信を司る。端末８０と施設入所調整装置１０との間では、多くの情報が送受信されるが、これらはすべて、通信部１５を介してなされる。以下の説明では、端末８０と施設入所調整装置１０との間でなされる情報の送受信が、通信部１５でなされるとの重複説明を避ける。
【００６１】
図３（図３Ａ〜図３Ｅ）は、施設入所調整モジュールの処理の流れを例示するフローチャートである。
【００６２】
施設入所調整モジュール２２によってなされる処理の流れを、図３（図３Ａ〜図３Ｅ）に例示するフローチャートを用いて説明する。
【００６３】
図４−１〜図４−２６は、施設入所調整モジュールによってなされる処理を補足説明するための図である。
【００６４】
すなわち、施設入所調整モジュール２２は、端末８０に入力された情報から、利用調整対象者を抽出し、抽出した利用調整対象者を、対象者リスト３１に書き込む（Ｓ１ａ）。
【００６５】
図５は、対象者リストのデータ構成例を示す図である。
【００６６】
図６は、施設の受入定員を示す施設リストのデータ構成例を示す図である。
【００６７】
対象者リスト３１は、保育所への入所を希望する対象者の入所希望情報が書き込まれたテーブル形式のリストであり、児童番号、世帯番号、年齢、第１希望から第４希望までの希望保育所、兄弟姉妹同時入所希望の有無、優先順、および世帯の優先順からなる各項目から構成される。
【００６８】
施設入所調整モジュール２２は、次に、対象者リスト３１から、一人の対象者（第１の対象者α）の入所希望情報を読み込む（Ｓ１ｂ）。
【００６９】
ステップＳ１ｂにおける具体的な処理は、図４−１、図４−９ｂ、図４−２６を用いて説明できる。
【００７０】
例えば、まず、ステップＳ１ｂで読み取られる対象者は、図４−１に示すように、優先順１の児童１０１であり、第１希望の保育所１の受入定員は、図６の施設リスト４０に示すように「１」である。なお、第１希望の保育所１の受入定員が「０」の場合、世帯全員（すなわち、兄弟姉妹すべて）の第２希望を第１希望にシフトする。
【００７１】
優先順１の児童およびその兄弟姉妹の処理が完了した後、次に、ステップＳ１ｂで読み取られる対象者は、図４−９ｂに示すように、優先順２の児童２０２であり、当該児童の第１希望である保育所１の受入定員は、優先順１の児童の兄弟姉妹が入所確定となったため「０」である。
【００７２】
優先順１の児童およびその兄弟姉妹、優先順２の児童およびその兄弟姉妹の処理が完了した後、次にステップＳ１ｂで読み取られる対象者は、図４−２６に示すように、優先順３の児童３０１であり、当該児童の第１希望である保育所２の受入定員は「１」である。
【００７３】
ステップＳ１ｂにおいて読み込めなかった場合（Ｓ１ｃ：いいえ）、処理は終了し、読み込めた場合（Ｓ１ｃ：はい）、次のステップであるステップＳ２ａに進む（Ｓ１ｃ）。
【００７４】
ステップＳ２ａでは、入所希望情報に、兄弟姉妹同時入所希望が含まれている場合（Ｓ２ａ：１以上）、対象者リスト３１から、対象者の兄弟姉妹である１人または複数人である第２の対象者の入所希望情報を抽出し、第１の対象者と第２の対象者とがすべて関連付けられた兄弟姉妹リスト３２を作成し、兄弟姉妹リスト３２を、記憶装置３０に記憶させる（Ｓ２ｂ）。
【００７５】
図７は、兄弟姉妹リストのデータ構成例を示す図である。
【００７６】
兄弟姉妹リスト３２は、兄弟姉妹の保育所への希望状況が、各世帯毎に記載されたテーブル形式のリストであり、それぞれ児童番号、世帯番号、年齢、第１希望から第４希望までの希望保育所、兄弟姉妹同時入所希望の有無、優先順、および世帯の優先順からなる各項目を有する。
【００７７】
ステップＳ２ｂにおける具体的な処理も、前述した図４−１、図４−９ｂを用いて説明できる。
【００７８】
一方、兄弟姉妹同時入所希望が含まれていない場合（Ｓ２ａ：０）の処理については後述する。
【００７９】
ステップＳ２ｂの後、兄弟姉妹同時入所希望の内容に応じて、処理が分岐する（Ｓ２ｃ）。
【００８０】
図８は、兄弟姉妹同時入所希望の内容分類を示す図である。
【００８１】
兄弟姉妹同時入所希望の内容は、「０：希望無し」、「１：兄弟姉妹同時期に同じ保育所を希望」、「２：兄弟姉妹同時期の入所（別々の保育所でも可）」、「３：当児童を優先的に入所（他の児童は待機）」、「４：当児童を優先的に入所（他の児童は別施設）」、「５：兄弟姉妹を優先的に入所（当児童は待機）」、および「６：兄弟姉妹を優先的に入所（当児童は別施設）」の７つに分類されている。
【００８２】
ステップＳ２ｃにおいて、上記希望２である場合（Ｓ２ｃ：２）、図７に示すように、兄弟姉妹リスト３２から、一人分のデータを読み込む（Ｓ３ａ）。そして、該保育所の受入定員に空きがある（Ｓ３ｂ：ある）のであれば、読み込まれた対象者の、該保育所への入所を仮確定し、仮確定された対象者を、入所仮確定リスト３４に書き込む（Ｓ３ｃ）。
【００８３】
入所仮確定リスト３４は、入所を仮確定された対象者のデータが書き込まれたテーブル形式のリストである。
【００８４】
ステップＳ３ｃの後、兄弟姉妹リスト３２において関連付けられた対象者のすべてに対する仮確定が終わった訳ではない場合（Ｓ４：Ｎｏ）、処理は、ステップ３ａに戻る。
【００８５】
一方、ステップＳ４において、兄弟姉妹リスト３２において関連付けられた対象者のすべてに対して、仮確定がなされた場合（Ｓ４：Ｙｅｓ）、ステップＳ５に進む。ステップＳ５では、兄弟姉妹リスト３２において関連付けられた対象者の兄弟姉妹の全員の入所が可能な場合（Ｓ５ａ：可能）、兄弟姉妹を、対応する保育所に関連付けた入所決定リスト３６を作成し、記憶装置３０に記憶させ（Ｓ５ｂ）、対象者αを含めた兄弟姉妹を対象者リスト３１から削除する（Ｓ５ｄ）。
【００８６】
図１０は、入所決定リストのデータ構成例を示す図である。
【００８７】
入所決定リスト３６は、入所が確定された対象者のデータが書き込まれたテーブル形式のリストであり、それぞれ児童番号、決定区分、決定施設からなる。
【００８８】
一方、ステップＳ５ａにおいて、兄弟姉妹リスト３２において関連付けられた対象者の何れかに対して、入所の仮確定がなされなかった場合（Ｓ５ａ：不可能）、兄弟姉妹を全員、入所を待機させ（Ｓ５ｃ）、兄弟姉妹を、保育所に関連付けることなく、入所決定リスト３６に書き込む（Ｓ５ｄ）。
【００８９】
一方、ステップＳ３ｂにおいて、該保育所の受入定員に空きがない（Ｓ３ｂ：ない）のであれば、次の希望施設情報を読み込み（Ｓ６ａ）、次の希望施設がある場合（Ｓ６ｂ：ある）には、ステップＳ３ｂに戻り、ない場合（Ｓ６ｂ：ない）には、ステップＳ３ａに戻る。
【００９０】
また、ステップＳ２ｃにおいて、図８に示す希望１、３、４、５、６の何れかである場合（Ｓ２ｃ：１３４５６）、対象者リスト３１から、第１の対象者（対象者α）の第１希望の保育所と同一の保育所を希望施設の何れかにしていて、第２の対象者よりも優先順位が高い第３の対象者および第３の対象者の１人または複数人の兄弟姉妹である第４の対象者を抽出し、抽出した対象者が書き込まれた関連対象者リスト３３を作成し、関連対象者リスト３３を、記憶装置３０に記憶させる（Ｓ７）。
【００９１】
図９は、関連対象者リストのデータ構成例を示す図である。
【００９２】
関連対象者リスト３３は、各世帯毎に記載されたテーブル形式のリストであり、それぞれ児童番号、世帯番号、年齢、第１希望から第４希望までの希望保育所、兄弟姉妹同時入所希望の有無、優先順、および世帯の優先順からなる各項目を有する。
【００９３】
ステップＳ７における具体的な処理も、前述した図４−１、図４−９ｂを用いて説明できる。
【００９４】
ステップＳ７の後、兄弟姉妹リスト３２に書き込まれている１人の第２の対象者のデータを読み込み（Ｓ８ａ）、第２の対象者とクラス年齢が等しく、第１希望の保育所が、予め定められた複数の保育所のうちの何れかである第３の対象者または１人の第４の対象者を、関連対象者リスト３３から読み込む（Ｓ８ｂ）。
【００９５】
ステップＳ８ａ、Ｓ８ｂにおける具体的な処理は、図４−１、図４−５、図４−９ｂ、図４−１１、図４−１４、図４−１８、図４−２１を用いて説明できる。図４−１は既に説明済みであるので、以下では、ステップＳ８ａ、Ｓ８ｂにおける具体例なデータの流れの例を、図４−５、図４−９ｂ、図４−１１、図４−１４、図４−１８、図４−２１を用いて説明する。
【００９６】
図４−５に示すように、児童１０１の兄弟姉妹１０２についても同様に判定する。兄弟姉妹（児童１０２）の第１希望の受入定員は「１」である。なお、受入定員が「０」の場合は、仮確定の結果を破棄し、世帯全体の第２希望を第１希望にシフトする。
【００９７】
図４−９ｂに示すように、優先順２の児童２０２の第１希望の受入定員が「０」の場合、図４−１０の対象者リスト３１に示すように、児童２０２とその兄弟姉妹２０１の第２希望を第１希望にシフトする。
【００９８】
図４−１１に示すように、優先順２の児童２０２の第１希望の保育所の受入定員は「１」である。なお、受入定員が「０」の場合は、世帯全員の第２希望を第１希望にシフトする。
【００９９】
図４−１４に示すように、優先順２の児童２０２の兄弟姉妹２０１についても同様に判定する。兄弟姉妹（児童２０１）の第１希望の保育所の受入定員は「１」である。なお、受入定員が「０」の場合は、仮確定の結果を破棄し、世帯全員の第２希望を第１希望にシフトする。
【０１００】
図４−１８に示すように、優先順２の児童２０２の第１希望の保育所の受入定員は「１」である。なお、受入定員が「０」の場合は、世帯全員の第２希望を第１希望にシフトする。
【０１０１】
図４−２１に示すように、児童２０２の兄弟姉妹２０１についても同様に判定する。兄弟姉妹（児童２０１）の第１希望の保育所の受入定員は「１」である。なお、受入定員が「０」の場合は、仮確定の結果を破棄し、世帯全員の第２希望を第１希望にシフトする。
【０１０２】
ステップＳ８ｂの後、第１希望の保育所の受入定員がゼロである場合（Ｓ９ａ：Ｙｅｓ）、第２希望の保育所を第１希望の保育所として（Ｓ９ｂ）、ステップＳ８ａに戻る。
【０１０３】
ステップＳ９ａにおける具体的な処理は、前述した図４−１、図４−５、図４−９ｂ、図４−１１、図４−１４、図４−１８を用いて説明できる。
【０１０４】
ステップＳ９ｂにおける具体的な処理は、前述した図４−９ｂを用いて説明できる。
【０１０５】
一方、ステップＳ８ｂの後、第１希望の保育所の受入定員がゼロではない場合（Ｓ９ａ：Ｎｏ）、ステップＳ８ａで対象とされた第２の対象者と、ステップＳ８ｂで関連対象者リスト３３から読み込まれた第３の対象者または第４の対象者との合計が、第１希望の保育所の受入定員以内であるか否かを判定する（Ｓ１０）。
【０１０６】
ステップＳ１０において、受入定員以内である場合（Ｓ１０：以内）、ステップＳ８ａで対象とされた第２の対象者と、ステップＳ８ｂで関連対象者リスト３３から読み込まれた第３の対象者または第４の対象者との第１希望の保育所への入所を仮確定し、仮確定された対象者を、入所仮確定リスト３４に書き込む（Ｓ１１）。
【０１０７】
ステップＳ１０における具体的な処理は、図４-２、図４-６、図４-１２、図４-１５、図４-１９、図４-２２を用いて説明できる。
【０１０８】
図４-２に示すように、受入定員が「１」以上のとき、対象者リスト３１を参照して、優先順１の児童１０１と年齢が等しく、同じ保育所を希望する児童を探索する。
【０１０９】
図４-６に示すように、受入定員が「１」以上のとき、対象者リスト３１を参照して、兄弟姉妹（児童１０２）と年齢が等しく、保育所１を希望する児童を探索する。
【０１１０】
図４-１２に示すように、受入定員が「１」以上のとき、対象者リスト３１を参照して、優先順２の児童２０２と年齢が等しく、同じ保育所を希望する児童を探索する。
【０１１１】
図４-１５に示すように、受入定員が「１」以上のとき、対象者リスト３１を参照して、兄弟姉妹（児童２０１）と年齢が等しく、保育所２を希望する児童を探索する。
【０１１２】
図４-１９に示すように、受入定員が「１」以上のとき、対象者リスト３１を参照して、優先順２の児童２０２と年齢が等しく、同じ保育所を希望する児童を探索する。
【０１１３】
図４-２２に示すように、受入定員が「１」以上のとき、対象者リスト３１を参照して、兄弟姉妹（児童２０１）と年齢が等しく、保育所４を希望する児童を探索する。
【０１１４】
ステップＳ１１における具体的な処理は、図４−１３、図４−２０を用いて説明できる。ステップＳ１１における具体例なデータの流れの例を、図４−１３、図４−２０を用いて説明する。
【０１１５】
図４−１３に示すように、同保育所を希望する児童数「１」が受入定員「１」以内のため、児童２０２を保育所２で仮確定し、その結果が、入所仮確定リスト３４に反映される。
【０１１６】
図４−２０に示すように、同保育所を希望する児童数「１」が受入定員「１」以内のため、児童２０２を保育所４で仮確定し、その結果が、入所仮確定リスト３４に反映される。
【０１１７】
ステップＳ１１の後、第１の対象者と１人または複数の第２の対象者とのすべて（すなわち、兄弟姉妹のすべて）が入所仮確定されているか否かを判定し、兄弟姉妹のすべてに対する入所の仮判定が完了していない場合（Ｓ１２ａ：Ｎｏ）、ステップＳ８ａに戻る。
【０１１８】
一方、ステップＳ１２ａにおいて、兄弟姉妹含めた判定が終わった場合（Ｓ１２ａ：Ｙｅｓ）、兄弟姉妹のすべてが入所仮確定と判定されたのであれば（Ｓ１２ｂ：Ｙｅｓ）、兄弟姉妹のすべての入所を確定し、確定した兄弟姉妹のデータを、入所確定リスト３５に書き込む（Ｓ１３）。
【０１１９】
ステップＳ１３における具体的な処理は、図４−９ａ、図４−２５を用いて説明できる。ステップＳ１３における具体例なデータの流れの例を、図４―１９と図４−２５を用いて説明する。
【０１２０】
図４−９ａに示すように、児童１０１と児童１０２との両方が仮確定となった場合、児童１０１と児童１０２とを本確定とし、その結果を、入所確定リスト３５に反映する。
【０１２１】
図４−２５に示すように、児童２０１と児童２０２との両方が仮確定となった場合、児童２０１と児童２０２とを本確定とし、その結果を、入所確定リスト３５に反映する。
【０１２２】
ステップＳ１３の後、入所が確定された保育所の受入定員を、ステップＳ１３において入所が確定された対象者の数−１とする（Ｓ１４）。
【０１２３】
ステップＳ１４の後、ステップＳ１３において入所が確定された対象者の中に、転園者がいる（Ｓ１５ａ：いる）場合、転園前の保育所の受入定員を＋１とする（Ｓ１５ｂ）。
【０１２４】
一方、ステップＳ１５ａにおいて、転園者がいない（Ｓ１５ａ：いない）場合、および、ステップＳ１５ｂの後、対象者リスト３１から、入所が確定された第１の対象者および１人または複数の第２の対象者を削除する（Ｓ１６）。
【０１２５】
ステップ１２ｂにおいて、第１の対象者と１人または複数の第２の対象者とのすべてが入所仮確定と判定されている訳ではない場合（Ｓ１２ｂ：Ｎｏ）、第１の対象者と１人または複数の第２の対象者とのすべてによって、他の保育所が希望されている（Ｓ１７ａ：ある）のであれば、この保育所を第１希望の保育所として、この保育所の情報を読み込み（Ｓ１７ｂ）、ステップＳ９ａに戻る。
【０１２６】
一方、ステップＳ１７ａにおいて、他の保育所が希望されていない（Ｓ１７ａ：ない）のであれば、第１の対象者と１人または複数の第２の対象者とのすべてによる同時入所の希望の内容に応じて、以降の処理を決定する（Ｓ１８）。
【０１２７】
ステップＳ１８において、兄弟姉妹同時入所希望の内容として、図８に示す希望１である場合（Ｓ１８：１）、第１の対象者と１人または複数の第２の対象者とのすべて（すなわち、兄弟姉妹のすべて）を待機させ（Ｓ１９）、ステップＳ１６に進む。
【０１２８】
一方、ステップＳ１８において、兄弟姉妹同時入所希望の内容として、図８に示す希望３または４である場合（Ｓ１８：３４）であって、入所可能な保育所がある（Ｓ２０ａ：ある）のであれば、第１の対象者（対象者α）のこの保育所への入所を確定する（Ｓ２０ｂ）。
【０１２９】
一方、ステップＳ２０ａにおいて、入所可能な保育所がない（Ｓ２０ａ：ない）のであれば、第１の対象者および１人または複数の第２の対象者のすべて（すなわち、兄弟姉妹のすべて）を待機させ（Ｓ２１）、ステップＳ１６に進む。
【０１３０】
ステップＳ２０ｂの後、１人または複数の第２の対象者（すなわち、対象者αの兄弟姉妹）が、第１の対象者（対象者α）と同一の保育所への入所を希望する（すなわち、兄弟姉妹同時入所希望の内容が、図８に示す希望５である）（Ｓ２２ａ：５）のであれば、兄弟姉妹は待機し（Ｓ２２ｂ）、別の保育所への入所を希望する（すなわち、図８に示す希望６）（Ｓ２２：６）であれば、別の保育所への入所を決定し（Ｓ２２ｃ）、ステップＳ１６に進む。
【０１３１】
また、ステップＳ１０において、受入定員を超える場合（Ｓ１０：超える）、第１の対象者に関して指定された世帯の優先順が、関連対象者リスト３３から読み込んだ他の児童と比較し、等しいかそれ以上の場合（Ｓ２３ａ：Ｙｅｓ）、児童を仮確定し（Ｓ２３ｃ）、ステップＳ１２ａに進む。
【０１３２】
ステップＳ１０（超える）における具体的な状態は、図４−３、図４−７、図４−１６，図４−２３を用いて説明できる。ステップＳ１０（超える）における具体例なデータの流れの例を、図４−３、図４−７、図４−１６、図４−２３を用いて説明する。
【０１３３】
図４−３に示すように、希望の児童数「３」が受入定員「１」より多いため、児童１０１を保育所１で確定できない。
【０１３４】
図４−７に示すように、希望の児童数「２」が受入定員「１」より多いため、児童１０１を保育所１で確定できない。
【０１３５】
図４−１６に示すように、希望の児童数「２」が受入定員「１」より多いため、児童２０２を保育所２で確定できない。
【０１３６】
図４−２３に示すように、希望の児童数「２」が受入定員「１」より多いため、児童２０２を保育所４で確定できない。
【０１３７】
ステップＳ２３ａにおける具体的な処理は、図４−４、図４−８、図４−１７、図４−２４を用いて説明できる。ステップＳ２３ａにおける具体的なデータの流れの例を、図４−４、図４−８、図４−１７、図４−２４を用いて説明する。
【０１３８】
図４−４に示すように、保育所１を希望している児童の中で、児童１０１の世帯の優先順は最も高いため、児童１０１は保育所１で入所仮確定とする（ステップＳ２３ｃ）。
【０１３９】
図４−８に示すように、保育所１を希望している児童の中で、児童１０２の世帯の優先順は最も高いため、児童１０２は保育所１で入所仮確定とする（ステップＳ２３ｃ）。
【０１４０】
図４-１７に示すように、保育所２を希望している児童の中で、児童２０１の世帯の優先順が最も高い場合、児童２０１は保育所２で入所仮確定となる。一方、世帯の優先順が最も高くない場合、救済措置が講じられる。救済措置では、保育所２を第１希望以外にしている児童がいる場合は救済可能だが、いない場合は救済不可である。保育所２を第１希望以外にしている児童がいないため、救済不可となり、児童２０１とその兄弟である児童２０２の仮確定の結果を破棄し、の結果を、入所仮確定リスト３４に反映し、第２希望の保育所４を第１希望にシフトする。
【０１４１】
図４-２４に示すように、保育所４を希望している児童の中で、児童２０１の世帯の優先順が最も高い場合ではない場合、救済措置が講じられる。救済措置では、保育所４を第１希望以外にしている児童がいない場合は救済不可であるが、保育所４を第１希望以外にしている児童がいる場合は、救済措置としてその児童を除いて再度判定を行う。例えば、児童（３０１）は児童２０１よりも世帯の優先順が高い。児童（３０１）の第１希望が児童２０１の入所希望の中にあるのであれば救済不可であるが、そうでないのであれば、児童（３０１）の第１希望での入所決定可否は児童２０１に影響を与えないため、児童３０１を除いて、保育所４を希望している児童数を判定する。その結果、保育所４を希望している児童が受入定員以内であれば、救済措置により仮確定とし、結果を入所仮確定リスト３４に反映する。
【０１４２】
ステップＳ２３ａ（Ｙｅｓ）における具体的な処理は、前述した図４−４、図４−８を用いて説明できる。
【０１４３】
一方、ステップＳ２３ａにおいて、優先順以上ではない場合（Ｓ２３ａ：Ｎｏ）、児童本人の第１希望を、第1希望以外にしている第３の対象者（対象者β）がいる場合（Ｓ２３ｂ：いる）、ステップＳ２４に進み、いない場合（Ｓ２３ｂ：いない）、ステップＳ８ａに進む。
【０１４４】
ステップＳ２３ｂ（いる）における具体的な処理は、前述した図４−２４を用いて説明できる。
【０１４５】
また、ステップＳ２３ｂ（いない）における具体的な処理は、図４−１７を用いて説明できる。
【０１４６】
ステップＳ２４およびステップＳ２５における具体的な処理もまた、前述した図４−２４を用いて説明できる。
【０１４７】
ステップＳ２ａにおいて、兄弟姉妹同時入所希望が含まれていない場合（Ｓ２ａ：０）、受入定員に空きがあれば（Ｓ２６：Ｙｅｓ）、入所可能な施設情報を保持し、入所仮確定リスト３４へ書き込み（Ｓ２７）、入所決定リスト３６へ格納し（Ｓ２８）、対象者リスト３１から対象者αを削除し（Ｓ２９）、ステップＳ１ｂへ戻る。
【０１４８】
ステップＳ２ａ（０）における具体的な処理もまた、前述した図４−２６を用いて説明できる。
【０１４９】
一方、ステップＳ２６において、受入定員に空きがなければ（Ｓ２６：Ｎｏ）、次の希望施設情報を読み込み（Ｓ３０）、次の希望施設があれば（Ｓ３１：ある）、ステップＳ２６に戻り、なければ（Ｓ３１：ない）、待機し、入所決定リスト３６に書き込み（Ｓ３２）、ステップＳ２９へ進む。
【０１５０】
上記のような本発明の実施形態に係る施設入所調整方法が適用された施設入所調整装置によれば、例えば保育所のような施設への入所希望者、特に、兄弟姉妹同時入所を希望する入所希望者の入所決定や、転園を希望する入所希望者の入所決定のためになされる一連の処理を、自動的に実施することができる。
【０１５１】
これによって、入所担当選考者の手作業が排除されるので、入所担当選考者の作業効率の向上を図ることができるのみならず、入所決定の判断を、迅速かつ正確に行うことが可能となる。
【０１５２】
以上、本発明を実施するための最良の形態について、添付図面を参照しながら説明したが、本発明はかかる構成に限定されない。特許請求の範囲の発明された技術的思想の範疇において、当業者であれば、各種の変更例および修正例に想到し得るものであり、それら変更例および修正例についても本発明の技術的範囲に属するものと了解される。
【符号の説明】
【０１５３】
１０  施設入所調整装置
１１  バス
１２  ＣＰＵ
１３  外部記録媒体
１４  記録媒体読取部
１５  通信部
２０  メモリ
２２  施設入所調整モジュール
２８  書込可能データエリア
３０  記憶装置
３１  対象者リスト
３２  兄弟姉妹リスト
３３  関連対象者リスト
３４  入所仮確定リスト
３５  入所確定リスト
３６  入所決定リスト
４０  施設リスト
７０  通信ネットワーク
８０  端末
【要約】      （修正有）【課題】保育所のような施設への入所希望者、特に、兄弟姉妹同時入所を希望する入所希望者の入所決定や、転園を希望する入所希望者の入所決定のためになされる一連の処理を、自動的に実施する施設入所調整装置、方法及びプログラムを提供する。【解決手段】施設入所調整装置１０は、バス１１によって互いに接続されたＣＰＵ、記録媒体読取部、通信部、メモリ及び記憶装置を備え、兄弟姉妹が別々の保育所への入所が許容されている場合、保育所の定員に空きがあれば、兄弟姉妹のうちの何れか１人の入所を仮確定し、兄弟姉妹のすべてに対して仮確定がなされた場合、兄弟姉妹を、対応する保育所に関連付け、関連付けられた対象者の何れかに対して、仮確定がなされていない場合、兄弟姉妹を全員を、入所待機させ、兄弟姉妹が別々の保育所へ入所することが許容されており、保育所の受け入れ定員に空きがない場合、別の保育所を対象して、入所が可能か否かを判定する。【選択図】図２【図１】
0006840882.tif 000002
【図２】
0006840882.tif 000003
【図３Ａ】
0006840882.tif 000004
【図３Ｂ】
0006840882.tif 000005
【図３Ｃ】
0006840882.tif 000006
【図３Ｄ】
0006840882.tif 000007
【図３Ｅ】
0006840882.tif 000008
【図４−１】
0006840882.tif 000009
【図４−２】
0006840882.tif 000010
【図４−３】
0006840882.tif 000011
【図４−４】
0006840882.tif 000012
【図４−５】
0006840882.tif 000013
【図４−６】
0006840882.tif 000014
【図４−７】
0006840882.tif 000015
【図４−８】
0006840882.tif 000016
【図４−９ａ】
0006840882.tif 000017
【図４−９ｂ】
0006840882.tif 000018
【図４−１０】
0006840882.tif 000019
【図４−１１】
0006840882.tif 000020
【図４−１２】
0006840882.tif 000021
【図４−１３】
0006840882.tif 000022
【図４−１４】
0006840882.tif 000023
【図４−１５】
0006840882.tif 000024
【図４−１６】
0006840882.tif 000025
【図４−１７】
0006840882.tif 000026
【図４−１８】
0006840882.tif 000027
【図４−１９】
0006840882.tif 000028
【図４−２０】
0006840882.tif 000029
【図４−２１】
0006840882.tif 000030
【図４−２２】
0006840882.tif 000031
【図４−２３】
0006840882.tif 000032
【図４−２４】
0006840882.tif 000033
【図４−２５】
0006840882.tif 000034
【図４−２６】
0006840882.tif 000035
【図５】
0006840882.tif 000036
【図６】
0006840882.tif 000037
【図７】
0006840882.tif 000038
【図８】
0006840882.tif 000039
【図９】
0006840882.tif 000040
【図１０】
0006840882.tif 000041